(57)【特許請求の範囲】
【請求項１】
加熱媒体で希溶液を加熱し冷媒蒸気を分離して濃溶液を生成する再生器と、前記冷媒蒸気を凝縮しかつ蒸発させて前記濃溶液を吸収させ希溶液を生成する少なくとも吸収器と、該希溶液を排熱回収器及び熱交換器を経て前記再生器へ循環する溶液循環ポンプとを備え、運転停止後に、前記再生器に供給されかつ前記排熱回収器を経て排出される前記加熱媒体の温度上昇を検出し、前記溶液循環ポンプを希釈運転することで運転停止中に前記加熱媒体の漏れを検出し、前記溶液循環ポンプを希釈運転してなる吸収冷凍機であり、
前記加熱媒体は、蒸気により形成され、該加熱媒体の温度上昇は、前記再生器に供給される蒸気の温度と、前記再生器より排出される蒸気の温度と、スチームトラップを経て前記排熱回収器で熱回収される凝縮水の温度とを比較して検出してなることを特徴とする吸収冷凍機。
【請求項２】
加熱媒体で希溶液を加熱し冷媒蒸気を分離して濃溶液を生成する再生器と、前記冷媒蒸気を凝縮しかつ蒸発させて前記濃溶液を吸収させ希溶液を生成する少なくとも吸収器と、該希溶液を排熱回収器及び熱交換器を経て前記再生器へ循環する溶液循環ポンプとを備え、運転停止後に、前記再生器に供給されかつ前記排熱回収器を経て排出される前記加熱媒体の温度上昇を検出し、前記溶液循環ポンプを希釈運転することで運転停止中に前記加熱媒体の漏れを検出し、前記溶液循環ポンプを希釈運転してなる吸収冷凍機であり、
前記加熱媒体は、蒸気により形成され、該加熱媒体の温度上昇は、前記スチームトラップを経て前記排熱回収器で熱回収される該加熱媒体の凝縮水の温度により検出してなることを特徴とする吸収冷凍機。
【請求項３】
加熱媒体で希溶液を加熱し冷媒蒸気を分離して濃溶液を生成し、前記冷媒蒸気を凝縮しかつ蒸発させて前記濃溶液を吸収させて希溶液を生成し、該希溶液を溶液循環ポンプで循環する吸収冷凍機の運転停止後に、前記加熱媒体の温度上昇を検出し、前記溶液循環ポンプを希釈運転する吸収冷凍機の晶析防止方法であり、
加熱媒体は、蒸気により形成され、温度上昇は、再生器に供給される前記蒸気の温度と、前記再生器より排出される蒸気の温度と、スチームトラップを経て排熱回収器で熱回収される凝縮水の温度とを比較して検出されることを特徴とする吸収冷凍機の晶析防止方法。
【請求項４】
加熱媒体で希溶液を加熱し冷媒蒸気を分離して濃溶液を生成し、前記冷媒蒸気を凝縮しかつ蒸発させて前記濃溶液を吸収させて希溶液を生成し、該希溶液を溶液循環ポンプで循環する吸収冷凍機の運転停止後に、前記加熱媒体の温度上昇を検出し、前記溶液循環ポンプを希釈運転する吸収冷凍機の晶析防止方法であり、
加熱媒体は、蒸気により形成され、温度上昇は、スチームトラップを経て排熱回収器で熱回収される前記加熱媒体の凝縮水の温度により検出されることを特徴とする吸収冷凍機の晶析防止方法。
【発明の詳細な説明】
【０００１】
【発明の属する技術分野】
本発明は、希溶液の希釈に係り、特に運転停止時に、加熱媒体の漏れによる温度上昇を検出して溶液循環ポンプを希釈運転するのに好適な吸収冷凍機の晶析防止方法に関する。
【０００２】
【従来の技術】
従来の吸収冷凍機の例を図３を参照しながら説明する。希溶液を加熱する蒸気等の加熱媒体１５の加熱源を有する高温再生器（再生器）１と、高温再生器１の上方に配置され高温再生器１に上昇管で接続された分離器２と、分離器２の気相部分に一端を接続される冷媒蒸気コイル２３を内装した低温再生器（再生器）３と、低温再生器３に連通されるとともに冷却水コイル５０を内装した凝縮器４と、冷媒蒸気コイル２３より液冷媒を散布され蒸発コイル３２を内装した蒸発器５と、蒸発器５と蒸発冷媒蒸気通路で連通され冷却水コイル４６を内装した吸収器６と、吸収器６の底部に希溶液吸入管５２を経て吸入側を接続された溶液循環ポンプ１０と、溶液循環ポンプ１０の吐出側に接続された低温溶液熱交換器（熱交換器）７と、低温溶液熱交換器７に接続された排熱回収器９と、排熱回収器９を経て高温再生器１の希溶液入口に接続された高温溶液熱交換器（熱交換器）８と、分離器２の液相部と高温溶液熱交換器８の加熱流体入口とを接続する中間濃溶液管２０と、高温溶液熱交換器８の加熱流体出側と低温再生器３とを接続する中間濃溶液管３８と、低温再生器３の底部と低温溶液熱交換器７の加熱流体入口とを接続する濃溶液管４０と、低温溶液熱交換器７の加熱流体出口と吸収器６の上部とを接続する濃溶液管４１と、冷却水コイル４６の出口と冷却水コイル５０の入口とを接続する冷却水管４８と、高温再生器１の加熱源である加熱媒体１５の排熱出口と排熱回収器９の排熱入口とを接続する排熱管５１とにより構成されている。冷却水コイル５０の出側は、図示されないクーリングタワーに接続され、冷却水コイル４６の入り側は、図示されない冷却水ポンプを介してクーリングタワーに接続されている。
【０００３】
前記構成の吸収冷凍機の通常運転時の動作を説明する。高温再生器１内の希溶液は加熱媒体１５に加熱されて気液２相流状態で上昇管内を上昇し、分離器２に流入する。分離器２に流入した気液２相流状態の希溶液は冷媒蒸気と中間濃溶液とに分離され、冷媒蒸気は低温再生器３に内装された冷媒蒸気コイル２３を通過する。中間濃溶液は中間濃溶液管２０を経て高温溶液熱交換器８の加熱流体側に流入し、希溶液を加熱しつつ高温溶液熱交換器８を通過し、中間濃溶液管３８を経て低温再生器３に流入される。冷媒蒸気コイル２３内を流れる冷媒蒸気は、周囲の中間濃溶液を加熱して冷媒を蒸発させて二次冷媒蒸気を生成し、自身は冷却されて凝縮し気液２相となって蒸発器５に流入する。低温再生器３で生成された二次冷媒蒸気は、凝縮器４に流入し、冷却水コイル５０内を流れる冷却水に冷却されて凝縮し、液冷媒となる。
【０００４】
冷媒蒸気コイル２３を経て蒸発器５に流入した液冷媒は、蒸発器５に内装された蒸発コイル３２上に散布され、蒸発コイル３２内を流れる熱媒体の熱を奪って蒸発し、再び冷媒蒸気となり、蒸発冷媒蒸気通路を経て吸収器６に流入する。熱を奪われて冷却された熱媒体は、冷凍負荷に導かれ、冷凍を行ったのち再び蒸発コイル３２に還流される。低温再生器３で二次冷媒蒸気として冷媒を蒸発させた中間濃溶液は、濃溶液となり、濃溶液管４０を経て低温溶液熱交換器７の加熱流体入り側に流入する。低温溶液熱交換器７に流入した濃溶液は、希溶液を加熱しつつ低温溶液熱交換器７を通過し、濃溶液管４１を経て吸収器６に流入する。吸収器６に流入した濃溶液は、冷却水コイル４６上に散布され、蒸発器５から流入した冷媒蒸気を吸収して希溶液となる。濃溶液が冷媒蒸気を吸収するときに発生する吸収熱は、冷却水コイル４６内を流れる冷却水に伝熱され、クーリングタワーへ運ばれる。
【０００５】
吸収器６で生成された希溶液は、希溶液吸入管５２を経て溶液循環ポンプ１０に吸入され、加圧されて低温溶液熱交換器７の被加熱流体側に流入する。低温溶液熱交換器７に流入した希溶液は加熱流体側を流れる濃溶液に加熱されつつ低温溶液熱交換器７を通過し、排熱回収器９で高温再生器１からの加熱媒体１５の排熱により加熱されたのちに高温溶液熱交換器８の被加熱流体側に流入する。高温溶液熱交換器８に流入した希溶液は、加熱流体側を流れる中間濃溶液に加熱されつつ高温溶液熱交換器８を通過し、高温再生器１に流入する。高温再生器１に流入した希溶液は、再び前記のサイクルを繰り返す。冷却水コイル４６で吸収熱を取り出し、冷却水コイル５０で凝縮熱を取り出した冷却水は、クーリングタワーに流入し、運んできた吸収熱及び凝縮熱を大気中に放出する。通常運転時は以上説明したサイクルが繰り返される。
【０００６】
次に、運転停止時の希釈運転について説明する。通常、吸収冷凍機の運転停止時は、溶液循環ポンプ１０が間歇的に運転され、溶液濃度が高い高温再生器１、低温再生器３、高温溶液熱交換器８及び低温溶液熱交換器７内の希溶液を希釈している（特開平１−１２３９６０号公報参照）。しかし高温再生器１の加熱媒体１５が例えば蒸気の場合、図４の吸収冷凍機の高温再生器１周囲の回路図に示すように、運転の発停回数が多くなり弁１６の使用頻度が高まると、弁座等のへたりにより蒸気漏れが発生する恐れがある。運転停止時は、溶液循環ポンプ１０の停止とともに弁１６が閉塞されるようになっているが、運転停止後に、弁１６の漏れが発生すると、高温再生器１及び排熱回収器９に閉じ込められた希溶液が、弁漏れによる蒸気により温められ、次第に濃縮して晶析に至る。この晶析を防止するために、従来は図５に示すように、予め設定温度Ｔ0を記憶しておき、高温再生器１内の希溶液の温度Ｔを管理して、運転停止後、ある時間経過し、ある設定温度Ｔ0の１００℃〜１０５℃よりもこの希溶液の温度Ｔが１０５℃より高い場合は、蒸気弁漏れと判断して異常警報１９を出し、溶液循環ポンプ１０により希釈運転を行い、晶析を防止していた。しかし、この制御は弁漏れの量が微少な時等は、運転停止後、ある時間経過し、ある設定温度に達しなくても晶析が発生する場合がある。
【０００７】
【発明が解決しようとする課題】
従来の吸収冷凍機の晶析防止方法にあっては、運転停止後に、加熱媒体の弁に漏れが発生すると、高温再生器及び排熱回収器に閉じ込められた希溶液が、弁漏れによる加熱媒体で希溶液が温められるので、高温再生器内の希溶液の温度を管理して、ある時間経過し、ある設定温度よりもこの希溶液の温度が高い場合は、弁漏れと判断して異常警報を出し、希釈運転を行っていたが、弁漏れの量が微少な時等は、ある設定温度に達しなくても晶析が発生する問題があった。
【０００８】
本発明の目的は、運転停止後に、再生器の加熱媒体の温度上昇より弁漏れを確実に検出し、希釈運転を行うことのできる吸収冷凍機の晶析防止方法を提供することにある。
【０００９】
【課題を解決するための手段】
本発明に係る吸収冷凍機は、加熱媒体で希溶液を加熱し冷媒蒸気を分離して濃溶液を生成する再生器と、冷媒蒸気を凝縮しかつ蒸発させて濃溶液を吸収させ希溶液を生成する少なくとも吸収器と、希溶液を排熱回収器及び熱交換器を経て再生器へ循環する溶液循環ポンプとを備え、運転停止中に加熱媒体の漏れを検出し、溶液循環ポンプを希釈運転する吸収冷凍機の晶析防止方法において、運転停止後に、再生器に供給されかつ排熱回収器を経て排出される加熱媒体の温度上昇を検出し、溶液循環ポンプを希釈運転する構成とする。
【００１０】
そして、加熱媒体は、蒸気により形成され、この加熱媒体の温度上昇は、再生器に供給される蒸気の温度と、再生器より排出される蒸気の温度と、スチームトラップを経て排熱回収器で熱回収される凝縮水の温度とを比較して検出する構成とすることにより前記の目的を達成する。
【００１１】
また、本発明に係る吸収冷凍機は、加熱媒体は、蒸気により形成され、この加熱媒体の温度上昇は、スチームトラップを経て排熱回収器で熱回収される加熱媒体の凝縮水の温度により検出する構成とすることにより前記の目的を達成する。
【００１２】
さらに、本発明に係る吸収冷凍機の晶析防止方法は、加熱媒体で希溶液を加熱し冷媒蒸気を分離して濃溶液を生成し、冷媒蒸気を凝縮しかつ蒸発させて濃溶液を吸収させて希溶液を生成し、希溶液を溶液循環ポンプで循環する吸収冷凍機の運転停止後に、加熱媒体の温度上昇を検出し、溶液循環ポンプを希釈運転する方法であり、加熱媒体は、蒸気により形成され、温度上昇は、再生器に供給される蒸気の温度と、再生器より排出される蒸気の温度と、スチームトラップを経て排熱回収器で熱回収される凝縮水の温度とを比較して検出される方法とすることにより前記の目的を達成する。
【００１３】
また、本発明に係る吸収冷凍機の晶析防止方法は、加熱媒体は、蒸気により形成され、温度上昇は、スチームトラップを経て排熱回収器で熱回収される加熱媒体の凝縮水の温度により検出される方法とすることにより前記の目的を達成する。
【００１４】
【発明の実施の形態】
一般的な吸収冷凍機の構成及び動作を従来の技術で説明したが、本発明の一実施例を図１を参照しながら説明する。図１に示すように、供給された加熱媒体１５で希溶液を加熱し冷媒蒸気を分離して濃溶液を生成する再生器（高温再生器）１と、冷媒蒸気を凝縮しかつ蒸発させて濃溶液を吸収させ希溶液を生成する図示しない凝縮器及び蒸発器等を含む少なくとも吸収器６と、希溶液を排熱回収器９及び熱交換器（低温溶液熱交換器及び高温溶液熱交換器）７，８を経て再生器１へ循環する溶液循環ポンプ１０とを備え、運転停止後に、加熱媒体１５の弁１６の漏れを検出して溶液循環ポンプ１０を希釈運転する吸収冷凍機の晶析防止方法であって、再生器１及び排熱回収器９を経て排出される加熱媒体１５の温度上昇を検出して溶液循環ポンプ１０を希釈運転する構成とする。
【００１５】
そして加熱媒体１５は、蒸気により形成され、温度上昇は、再生器１に供給される蒸気の温度Ｔ1と、再生器１より排出される蒸気の温度Ｔ2と、スチームトラップ１７を経て排熱回収器９で熱回収される凝縮水の温度Ｔ3とを比較し、所定の時間経過後に、例えば各温度が一定の場合は弁１６の漏れはなしと判定し、各温度の上昇が検出された場合は弁１６の漏れありと判定して異常警報１９を発するとともに、溶液循環ポンプ１０を起動させ希釈運転する。又は温度上昇は、再生器１よりスチームトラップ１７を経て排熱回収器９で熱回収される加熱媒体１５の凝縮水の、温度Ｔ3の時間経過に対する温度変化により検出され、温度上昇がある場合は弁１６の漏れありと判定するものとする。なお加熱媒体１５は、蒸気以外の例えば燃焼ガス等であってもよい。
【００１６】
すなわち高温再生器１及び排熱回収器９に流入、流出する蒸気回路中の高温再生器１入口、高温再生器１出口及びスチームトラップ１７出口配管の表面又は配管に挿着して温度センサー１８ａ，１８ｂ，１８ｃを設ける。弁１６が漏れずに運転停止後、確実に蒸気が遮断された場合は、弁１６以降の蒸気配管の中で蒸気は時間の経過とともに凝縮されてある一定温度を示すようになる。しかし弁１６が漏れた場合は、漏れた蒸気が配管の温度を上昇させる。この配管の温度上昇を温度センサーで確実に検知して、運転停止後ある時間経過してある設定温度よりも高い場合は、異常警報を出して溶液循環ポンプ１０の希釈運転を行い晶析を防止する。この制御では、微少な蒸気漏れでも顕著に表れる配管の温度上昇を感知して、晶析を防止することができる。また、温度センサー１８ａ，１８ｂ，１８ｃについては、高温再生器１内の希溶液の熱伝導が蒸気配管の温度に影響しやすく、温度センサー１８ｃはスチームトラップ１７から排出された凝縮水の温度を常に感知するため、温度センサーで管理する位置は温度センサー１８ｃが最適である。
【００１７】
なおスチームトラップの機能を説明すると、蒸気配管等の蒸気使用機器では、蒸気スペースが完全に蒸気で満たされているとき、最大出力を発揮し、蒸気スペースに凝縮水（ドレン）が滞留するにつれて有効伝熱面積が減少し出力が低下する。従って機器の出力を最高に維持するために、機器内で発生する凝縮水をできるだけ速やかに排出し、蒸気スペースを常に蒸気で満たした状態に保たなければならない。この目的で使用されるのがスチームトラップであって、必要な機能として凝縮水を速やかに排出し、蒸気を漏らさないこと、また空気等の不凝縮ガスを排出できることであり、スチームトラップより排出された凝縮水の温度は、蒸気温度の影響を受けないため、温度センサーで温度管理するのに最適である。
【００１８】
次に図２を参照しながら温度センサー１８ｃのみを設けた場合について運転停止制御フローを説明する。予め加熱媒体のスチームトラップ１７から排出される凝縮水配管の設定温度Ｔ03を記憶し（ステップ１００）、運転停止後に（ステップ１０１）、凝縮水配管の検知温度Ｔ3を記憶する（ステップ１０２）。そして所定時間後に凝縮水配管の検知温度ｔ3を入力し（ステップ１０３）、検知温度ｔ3と検知温度Ｔ3とを比較演算し、ｔ3≦Ｔ3であれば（ステップ１０４）、溶液循環ポンプを停止する（ステップ１０５）。また所定時間後に検知温度ｔ3´≧Ｔ03であれば（ステップ１０６）弁漏れと判定して異常警報を発し（ステップ１０７）、図示しない制御器より信号を送って溶液循環ポンプを起動して希釈運転するようになっている（ステップ１０８）。
【００１９】
本実施例によれば、運転停止後に、検出しにくかった加熱媒体の弁漏れは、微少な漏れが発生しても、高感度でその漏れを検出できて溶液循環ポンプを起動して希釈運転が可能となり、運転停止中に再生器及び排熱回収器内での晶析を未然に防止することができる。
【００２０】
【発明の効果】
本発明によれば、再生器の加熱媒体配管に温度センサーを設け、運転停止後に、温度上昇を検出するため、加熱媒体の弁に微少な漏れが発生しても、高感度でその漏れを検出できて溶液循環ポンプによる希釈運転が可能となり、晶析を未然に防止することができる。
【図面の簡単な説明】
【図１】本発明の一実施例を示す図である。
【図２】本実施例の制御フローを示す図である。
【図３】従来の技術を示す図である。
【図４】従来の技術を示す図である。
【図５】従来の制御フローを示す図である。
【符号の説明】
１  高温再生器
２  分離器
３  低温再生器
４  凝縮器
５  蒸発器
６  吸収器
７  低温溶液熱交換器
８  高温溶液熱交換器
９  排熱回収器
１０  溶液循環ポンプ
１５  加熱媒体
１６  弁
１７  ドレントラップ
１８ａ，１８ｂ，１８ｃ  温度センサー
４１  濃溶液管
５２  希溶液吸入管
５４  希溶液管
【図１】
0003731132.tif 000002
【図２】
0003731132.tif 000003
【図３】
0003731132.tif 000004
【図４】
0003731132.tif 000005
【図５】
0003731132.tif 000006